(57)【要約】【課題】倒木等により電線が切断されるのを防止できる電柱を提供すること。【解決手段】電柱（１０）は、地面（７０）に設けられた電柱本体（３０）と、当該電柱本体（３０）に設けられた腕木（３１）と、当該腕木（３１）の下面に設けられた碍子（４０）と、を備えている。そして、電線（２０）は、巻付バインド（５０）により碍子（４０）に支持され、巻付バインド（５０）は、倒木の荷重で切断される程度の固定強度により形成されている。【選択図】図２
2010226824.tif 000002
【特許請求の範囲】
【請求項１】
電線を支持する電柱であって、
地面に設けられた電柱本体と、
当該電柱本体に設けられた腕木と、
当該腕木の下面に設けられた碍子と、を備え、
前記電線は、固定部材により前記碍子に支持され、
当該固定部材の固定強度は、木の荷重で切断される程度であることを特徴とする電柱。
【請求項２】
前記固定部材は、前記碍子に巻き付く略Ｃ字形状の碍子固定部と、前記碍子固定部の両端から両側に螺旋状に延びて前記電線に巻き付く螺旋部と、から構成されることを特徴とする請求項１記載の電柱。
【請求項３】
前記固定部材は、金属線であり、少なくとも一部は、前記木の荷重により切断される程度の固定強度であることを特徴とする請求項１記載の電柱。
【請求項４】
前記腕木は、前記電柱本体において、異なる高さに複数設けられ、
前記碍子は、略鉛直方向において重ならないように配置されていることを特徴とする請求項２又は請求項３記載の電柱。
【発明の詳細な説明】
【技術分野】
【０００１】
本発明は、電柱に関し、特に倒木により電線が切断されるのを防止できる電柱に関する。
【背景技術】
【０００２】
従来より、山間部では、倒木による高圧線被害が多い。すなわち、降雨や積雪により地盤がゆるんで大きな木が倒れ、この倒れた木が高圧線に引っ掛かって、この高圧線が切断する。
このような対策として、図８に示すように、電柱１３０の上部に設けられた倒木ガードワイヤーが知られている。この倒木ガードワイヤーは、隣り合う電柱１３０、１３０’間で、高圧線１２０と木々６０との間に、ワイヤー１３５を張っておく。この倒木ガードワイヤーによれば、木６０が倒れると、このワイヤー１３５に木６０が寄り掛かるため、高圧線を保護することができる。
【発明の概要】
【発明が解決しようとする課題】
【０００３】
しかしながら、この倒木ガードワイヤーでは、ワイヤー１３５を電柱１３０が支持しているため、ワイヤー１３５に寄り掛かる木６０の荷重により、電柱１３０が倒れてしまうおそれがある。
【０００４】
本発明は、倒木等により電線が切断されるのを防止できる電柱を提供することを目的とする。
【課題を解決するための手段】
【０００５】
本発明は、電線を支持する電柱であって、地面に設けられた電柱本体と、当該電柱本体に設けられた腕木と、当該腕木の下面に設けられた碍子と、を備え、前記電線は、固定部材により前記碍子に支持され、当該固定部材の固定強度は、木の荷重で切断される程度である電柱に関する。
【０００６】
この発明によれば、電線を固定部材により碍子に支持させて、固定部材の固定強度を、木の荷重で切断される程度とした。
よって、木が倒れて電線に寄りかかると、この木の荷重で固定部材が切断されて、電線は断線することなく落下する。
したがって、倒木等により電線が切断されるのを防止できる。
【０００７】
また、前記固定部材は、前記碍子に巻き付く略Ｃ字形状の碍子固定部と、前記碍子固定部の両端から両側に螺旋状に延びて前記電線に巻き付く螺旋部と、から構成されることが好ましい。
【０００８】
また、前記固定部材は、金属線であり、少なくとも一部は、前記木の荷重により切断される程度の固定強度であることが好ましい。
よって、任意の部分で切断可能としておくことができる。
【０００９】
また、前記腕木は、前記電柱本体において、異なる高さに複数設けられ、前記碍子は、略鉛直方向において重ならないように配置されていることが好ましい。
【００１０】
この発明によれば、碍子を略鉛直方向において重ならないように配置した。よって、上側の碍子に支持された電線が落下しても、この電線が下側の碍子に支持された電線に引っ掛かるのを防止できる。
【発明の効果】
【００１１】
本発明によれば、電線を支持することができ、かつ、倒木等の衝撃により電線が切断されるのを防止できる。したがって、台風や風雪等により電線及び電柱が損壊するのを抑止できる。
【図面の簡単な説明】
【００１２】
【図１】本発明の実施形態に係る電柱を示す図である。
【図２】本発明の実施形態に係る電柱を構成する碍子及び固定部材を示す拡大斜視図である。
【図３】本発明の実施形態に係る電柱を構成する固定部材を示す平面図である。
【図４】本発明の実施形態に係る電柱に木が倒れた状態を示す図である。
【図５】本発明の実施形態に係る電柱を構成する固定部材が切断された状態を示す図である。
【図６】第２実施形態に係る電柱を構成する碍子及び固定部材を示す拡大斜視図である。
【図７】第３実施形態に係る電柱を示す図である。
【図８】従来例の電柱を示す図である。
【発明を実施するための形態】
【００１３】
以下、本発明を実施するための第１実施形態について、図面を参照しながら説明する。
図１は、本発明の実施形態に係る電柱１０を示す図である。
図１に示すように、電柱１０は、電線２０を支持している。
電柱１０は、地面７０に設けられた電柱本体３０と、電柱本体３０に設けられた腕木３１と、当該腕木３１の下面に設けられた碍子４０と、電線２０を碍子４０に対し固定して電線２０を支持する固定部材としての巻付バインド５０と、を備える。
【００１４】
電柱本体３０は、長い柱状に形成され、略鉛直方向に立設している。腕木３１は、横断面矩形の長尺状に形成され、電柱本体３０の上部近傍において、腕木３１の長さ方向略中央位置で腕木３１が略水平となるように固定される。
【００１５】
図２は、碍子４０及び巻付バインド５０の拡大斜視図である。
碍子４０は、腕木３１の先端近傍において、腕木３１の下面となるように固定されている。碍子４０は、腕木３１から下方に立設した基軸４２と、基軸４２の先端に固定され略円筒形状に形成された碍子本体４１と、を備えている。碍子本体４１の先端近傍には、碍子本体４１の外周に沿って凹状の溝４３が形成され、当該溝４３において電線２０を挟持しうるように形成される。碍子本体４１は、絶縁性を有するセラミック素材により形成される。
【００１６】
図２に示すように、腕木３１に取り付けられた碍子４０の溝４３に、巻付バインド５０の碍子固定部５１がはめ込まれ、碍子固定部５１の両側に延びる螺旋部５２，５２がそれぞれ末端まで電線２０に巻き付けられることによって電線２０が碍子４０に固定される。
【００１７】
図３は、巻付バインド５０の平面図を示す。
巻付バインド５０は、碍子４０の溝４３に巻き付く平面視略Ｃ字形状の碍子固定部５１と、碍子固定部５１の両端から両側に螺旋状に延びて電線２０に巻き付く螺旋部５２，５２と、を備えている。
【００１８】
碍子固定部５１及び螺旋部５２は、合成樹脂により形成され、電線２０を碍子４０に支持することができ、かつ、倒木の荷重により切断される程度の固定強度、すなわち、倒木の荷重により碍子固定部５１が切断される程度の引張強度を有する素材により形成される。
【００１９】
図４に示すように、電柱１０付近にある木６０が電線２０に対して倒れてきた場合に、電線２０を支持している巻付バインド５０を切断して、電線２０を落下させることにより木６０の荷重で電線２０が切断されるのを防止するために用いられる。
【００２０】
次に、本発明の第１実施形態に係る電柱１０に木が倒れてきた場合の動作について説明する。
【００２１】
図４に示すように、台風や風雪等により電柱１０付近にある木６０が倒れ、倒木が電線２０に引っかかった場合には、倒木が電線２０に引っかかった時の衝撃により、図５に示すように、巻付バインド５０が切断され、電線２０の碍子４０に対する支持が解除される。したがって、電線２０のみが落下する。
【００２２】
前述した構成を有する第１実施形態に係る電柱１０によれば、以下の効果が奏される。
（１）電線を固定部材により碍子に支持させて、巻付バインド５０の固定強度を、木６０の荷重で切断される程度とした。
よって、木６０が倒れて電線２０に寄りかかると、この木６０の荷重で巻付バインド５０が切断されて、電線２０は断線することなく落下する。したがって、倒木等により電線２０が切断されるのを防止できる。
【００２３】
次に、図６を参照して、第２実施形態について説明する。
図６は、第２実施形態の碍子４０及び金属線５０ａの拡大斜視図である。
第２実施形態の電柱の構成は基本的に第１実施形態の電柱の構成と同じである。
ただし、第２実施形態の電柱では、固定部材としての巻付バインド５０の代わりに、金属線５０ａにより構成される。そして、金属線５０ａの少なくとも一部は、木６０の荷重により切断される程度の固定強度である。
【００２４】
金属線５０ａは、硬鋼線材、アルミニウム線材、チタン線材等耐食性を有する金属素材の針金により形成されている。金属線５０ａは、電線２０を碍子４０に支持することができ、かつ、倒木の荷重により切断される程度の固定強度、すなわち倒木の荷重により金属線５０ａの少なくとも一部が切断される程度の引張強度を有する素材により形成される。
【００２５】
次に、本発明の第２実施形態に係る電柱１０に木が倒れてきた場合の動作について、第１実施形態と異なる点につき説明する。
【００２６】
台風や風雪等により電柱１０付近にある木６０が倒れ、倒木が電線２０に引っかかった場合には、倒木が電線２０に引っかかった時の衝撃により、金属線５０ａの少なくとも一部が切断され、電線２０の碍子４０に対する支持が解除される。したがって、電線２０のみが落下する。
【００２７】
前述した構成を有する第２実施形態に係る電柱１０によれば、以下の効果が奏される。
【００２８】
（２）固定部材を、金属線５０ａにより形成し、少なくとも一部は木の荷重により切断される程度の固定強度とした。よって、任意の部分で切断可能としておくことができる。
【００２９】
次に、図７を参照して、第３実施形態について説明する。
第３実施形態の電柱の構成は基本的に第１実施形態の電柱の構成と同じである。
ただし、第３実施形態の電柱では、一本の腕木３１において複数の碍子４０が設けられる代わりに、図７に示すように、腕木３１ａ，３１ｂ，３１ｃは、電柱本体３０ａにおいて、異なる高さに複数設けられ、各碍子４０ａ，４０ｂ，４０ｃは、略鉛直方向において重ならないように配置されている点で異なる。
【００３０】
図７に示すように、各腕木３１ａ，３１ｂ，３１ｃは、異なる長さに形成され、電柱本体３０ａの上部近傍から所定の間隔をおいて、各々異なる高さ寸法となるように電柱本体３０ａに固定される。各腕木３１ａ，３１ｂ，３１ｃは、それぞれ略水平となるように固定される。電柱本体３０ａの上部に設けられている腕木３１ａほど長く形成され、電柱本体３０ａの下部に設けられている腕木３１ｃほど短く形成される。
【００３１】
そして、碍子４０ａ，４０ｂ，４０ｃは、各腕木３１ａ，３１ｂ，３１ｃの先端部近傍において、各腕木３１ａ，３１ｂ，３１ｃの下面となるように固定されている。このとき、各碍子４０ａ，４０ｂ，４０ｃは、鉛直方向において重ならないように配置されている。
【００３２】
次に、本発明の第３実施形態に係る電柱１０の使用状態について、第１実施形態と異なる点につき説明する。
【００３３】
各腕木３１ａ，３１ｂ，３１ｃは、電柱本体３０ａにおいて、異なる高さに複数設けられる。そして、各碍子４０ａ，４０ｂ，４０ｃは、鉛直方向において重ならないように各腕木３１ａ，３１ｂ，３１ｃに固定される。
【００３４】
台風や風雪等により電柱１０ａ付近にある木６０が倒れ、倒木が電線２０ａ，２０ｂ，２０ｃに引っかかった場合には、倒木が電線２０ａ，２０ｂ，２０ｃに引っかかった時の衝撃により、巻付バインド５０を構成する碍子固定部５１が切断され、各電線２０ａ，２０ｂ，２０ｃの各碍子４０ａ，４０ｂ，４０ｃに対する支持を解除する。
【００３５】
したがって、倒木等により各電線２０ａ，２０ｂ，２０ｃが切断されるような強い荷重が各電線２０ａ，２０ｂ，２０ｃに対しかかった場合には、各電線２０ａ，２０ｂ，２０ｃと各碍子４０ａ，４０ｂ，４０ｃとの支持状態を解除して、各電線２０ａ，２０ｂ，２０ｃのみを下方に落下させる。
【００３６】
前述した構成を有する第３実施形態に係る電柱１０ａによれば、以下の効果が奏される。
（３）碍子を略鉛直方向において重ならないように配置した。よって、上側の碍子に支持された電線が落下しても、この電線が下側の碍子に支持された電線に引っ掛かるのを防止できる。したがって、電線２０ａ，２０ｂ，２０ｃを確実に落下させ、倒木等の衝撃により電線２０ａ，２０ｂ，２０ｃが切断されるのを防止できる。
【００３７】
なお、本発明は前記実施形態に限定されるものではなく、本発明の目的を達成できる範囲での変形、改良等は本発明に含まれるものである。
【００３８】
例えば、固定部材は、木の荷重で切断されるようにしたがこれに限られない。電線が切断される荷重よりも先に切断されるようにすればよく、電線上に堆積した雪の荷重によって切断されてもよい。
【００３９】
また、例えば、巻付バインド５０を構成する碍子固定部５１は、合成樹脂により形成され、倒木の荷重により切断するようにしたがこれに限られない。例えば、巻付バインドに、引張強さに応じて結合又は分離を行う結合部を設け、電線にかかる倒木の荷重に応じて分離を行うことにより、該結合部において碍子の固定及び固定の解除を行うようにしてもよい。
【符号の説明】
【００４０】
１０    電柱
２０    電線
３０    電柱本体
３１    腕木
４０    碍子
４１    碍子本体
５０    巻付バインド
【図１】
2010226824.tif 000003
【図２】
2010226824.tif 000004
【図３】
2010226824.tif 000005
【図４】
2010226824.tif 000006
【図５】
2010226824.tif 000007
【図６】
2010226824.tif 000008
【図７】
2010226824.tif 000009
【図８】
2010226824.tif 000010